(57)【要約】【課題】  装置全体を小型化すると共に、扉体に接続されるチェーンを効率良く収納可能とする水門用開閉装置及び水門開閉装置のチェーン収納方法を提供する。【解決手段】  一端を扉体２の上部に接続されるチェーン３を、駆動部１２からの回転駆動力が伝達される駆動スプロケット１４に係合すると共に、その他端を被駆動部１３が設置される架台１７の底面に接続しているので、扉体２をチェーン３を介して上昇させる際、チェーン３が、駆動スプロケット１４の回転により回転移動すると共に、架台１７に設けた案内ローラ１６に沿って案内されつつ、略Ｕ字状に降下してチェーンカバー２０に収納され、チェーン３を小スペースに収納可能とした。【選択図】        図２
2005171558.tif 000002
【特許請求の範囲】
【請求項１】
水門を開閉する扉体を設け、該扉体を上昇させる駆動装置を水門上部に設けた操作台に設置し、前記扉体の上部にチェーンの一端を接続すると共に、前記チェーンの中間部を前記駆動装置を構成する駆動スプロケットに係合させた後、前記チェーンの他端を前記操作台付近に接続し、前記扉体を前記チェーンを介して上昇させる際、前記チェーンの他端側を略Ｕ字状に収納する収納部を設けたことを特徴とする水門用開閉装置。
【請求項２】
水門を開閉する扉体の上部にチェーンの一端が接続され、このチェーンが駆動装置を構成する駆動スプロケットに係合されると共に、前記扉体を前記チェーンを介して上昇させる際、前記チェーンを略Ｕ字状に降下させて収納することを特徴とする水門用開閉装置のチェーン収納方法。
【発明の詳細な説明】
【技術分野】
【０００１】
本発明は、水門を開閉するために設けた水門用開閉装置及び水門用開閉装置のチェーン収納方法に関するものである。
【背景技術】
【０００２】
河川に通じる水路には水門が設置され、水門用開閉装置の扉体の昇降によって水門を開閉するようになっている。従来の水門用開閉装置として、例えば、特許文献１には、？柱の上端間に掛け渡された連結桁上にスプロケットを設置し、このスプロケットに巻掛けられたチェーンは、その一端が門扉の上端部に接続されると共に、他端にカウンタバランスが接続され、また、連結桁上にはスプロケットの駆動軸に接続される減速機が設置され、この減速機を作動させるハンドルを回転させて、チェーンを介して門扉を昇降させることが開示されている。
【０００３】
また、特許文献２には、水門上部の操作台に駆動装置を備え、この駆動装置から延設する出力軸に駆動スプロケットを設け、扉体を昇降させるチェーンの両端が扉体の上部に取付られると共に、このチェーンの中間部が駆動スプロケット、及び案内スプロケットに巻回されており、扉体の全閉状態において、案内スプロケットが扉体から案内スプロケットに巻回されるチェーン取付位置よりも下方に位置する壁面に回転自在に軸支されていることが開示されている。
【０００４】
【特許文献１】特開昭５９−３８４１０号公報
【特許文献２】特開平８−８５９３４号公報
【発明の開示】
【発明が解決しようとする課題】
【０００５】
上述した特許文献１の発明では、チェーンの他端に、門扉の重量の約１／２の重量を有したカウンターバランスが接続されているとすると、門扉を上昇させる際の駆動力は低減できるが、門扉に加えカウンターバランスをもスプロケットや連結桁等によって吊下しなければならないため、これらスプロケットや連結桁等に単純に約１．５倍の強度が必要となり、さらにはこの大きなカウンターバランスが昇降するためのスペースを広くとる必要があり、装置全体が大型化すると共に、土木構造物等の施工コストが増加し、トータルコストが増加する懸念があった。しかも、門扉の昇降に伴って、カウンターバランスも上下に移動することになり、周囲の景観を損ねる問題点を有してした。
【０００６】
また、特許文献２の発明では、扉体の全閉状態において、案内スプロケットが扉体のチェーンの一端が取付けられる取付位置よりも下方に位置する壁面に回転自在に軸支されており、扉体が上昇する際、チェーンは駆動スプロケットに巻回された後この案内スプロケットにより案内されて安全に降下することになるが、この案内スプロケットが水没してしまうと、この案内スプロケットに浮遊ゴミ等が付着してこの浮遊ゴミをチェーンとの間に巻込んでしまい、扉体の昇降に支障をきたす虞がある。しかも、この案内スプロケットを壁面に軸支する工事が必要となり、トータルコストが増加する虞がある。
一方、前記した案内スプロケットを排除すると、扉体がチェーンを介して上昇する際、チェーンが駆動スプロケットにより巻回された後所定方向に案内されずに、その収納が問題となっていた。
【０００７】
本発明は、かかる点に鑑みてなされたものであり、周囲の景観を損なわず、装置全体を小型化すると共に、扉体に接続されるチェーンを効率良く収納可能とする水門用開閉装置及び水門用開閉装置のチェーン収納方法を提供することを目的とする。
【課題を解決するための手段】
【０００８】
本発明は、上記課題を解決するための手段として、請求項１に記載した水門用開閉装置の発明は、水門を開閉する扉体を設け、該扉体を上昇させる駆動装置を水門上部に設けた操作台に設置し、前記扉体の上部にチェーンの一端を接続すると共に、前記チェーンの中間部を前記駆動装置を構成する駆動スプロケットに係合させた後、前記チェーンの他端を前記操作台付近に接続し、前記扉体を前記チェーンを介して上昇させる際、前記チェーンの他端側を略Ｕ字状に収納する収納部を設けたことを特徴とするものである。
【０００９】
また、請求項２に記載した水門用開閉装置のチェーン収納方法の発明は、水門を開閉する扉体の上部にチェーンの一端が接続され、このチェーンが駆動装置を構成する駆動スプロケットに係合されると共に、前記扉体を前記チェーンを介して上昇させる際、前記チェーンを略Ｕ字状に降下させて収納することを特徴とするものである。
【発明の効果】
【００１０】
本発明の水門用開閉装置及び水門用開閉装置のチェーン収納方法によれば、従来のように、チェーンを案内する案内スプロケットを設ける必要がないので、浮遊ゴミを巻込む虞もなく安全で信頼性が高い。さらに、本発明の水門用開閉装置及び水門用開閉装置のチェーン収納方法によれば、従来のチェーンの他端にカウンターバランスが接続されている形態と比較すると、駆動スプロケットや操作台等に作用する荷重が大幅に低減され、かつチェーンを容易に小スペースに収納できるので、装置全体を小型化できると共に、土木構造物の施工コスト等も大幅に低減でき実用的である。しかも、従来のようにカウンターバランスが外部に露出することなく、周囲の景観を損なうこともない。また、扉体の上昇時に降下するチェーンを略Ｕ字状に収納できるので、チェーンの収納スペースの高さを低く設定できると共に、扉体の揚程を高く設定できる。
【発明を実施するための最良の形態】
【００１１】
以下、本発明を実施するための最良の形態を図１及び図２に基いて詳細に説明する。
本発明を実施の形態に係る水門用開閉装置１は、図１及び図２に示すように、水門を開閉する扉体２と、扉体２に接続されるチェーン３と、扉体２を昇降させるためにチェーン３に駆動力を伝達する駆動装置５と、扉体２を上昇させる際降下するチェーン３を収納するチェーンカバー（収納部）２０とから概略構成されている。
【００１２】
水門には、水門を開閉するための扉体２が配設されており、この扉体２の上部の両端には、チェーン３、３の一端が吊金具６、６を介してそれぞれ固定されている。
水門の両岸には、門柱７、７がそれぞれ立設され、これらの門柱７、７の上部には、操作台８が掛け渡されており、この操作台８に駆動装置５が載置されている。符号１０で示すものは防護柵である。
扉体２の両端でその下方には、各２個ずつローラ２ａが装着されると共に、両側の門柱７、７にはそれぞれ戸当り１１、１１が設けられ、扉体２は各ローラ２ａが戸当り１１の前面を転がり、スムーズに昇降するようになっている。
【００１３】
駆動装置５は、回転駆動力を起動する電動機を備えた駆動部１２と、この駆動部１２から左右に延設される連結軸１８、１８に連結され、駆動部１２からの回転駆動力が伝達される各被駆動部１３、１３とから構成されている。
そこで、各被駆動部１３が設置される操作台８には、チェーン３が挿通する開口８ａが設けられ、各被駆動部１３は、この開口８ａ周辺の上面に配設された架台１７に設置されている。
各被駆動部１３には、駆動部１２からの回転駆動力が伝達される被駆動軸１５が配設され、この被駆動軸１５に駆動スプロケット１４が固定されている。
チェーン３は、その一端が扉体２の上部に接続されると共に、その中間部が被駆動部１３の駆動スプロケット１４に巻回され、駆動スプロケット１４の下流側で、架台１７に支持された案内ローラ１６に案内された後、その他端が操作台８近傍の架台１７の底面に接続されている。
また、扉体２に隣接して、チェーン３が挿通する操作台８の開口部８ａの下方には、扉体２を上昇させる際、略Ｕ字状に降下するチェーン３を収納する略筒状のチェーンカバー２０が門柱７に支持されている。
【００１４】
次に、本発明の実施の形態に係る水門用開閉装置１の作用を図１及び図２に基いて説明する。
扉体２を上昇させる時には、駆動部１２からの回転駆動力が被駆動部１３の駆動スプロケット１４を介してチェーン３に伝達され、チェーン３と共に扉体２が上昇することになる。
この時、チェーン３は、駆動スプロケット１４の回転により回転移動すると共に、架台１７に設けた案内ローラ１６に沿って案内され、略Ｕ字状に降下しながらチェーンカバー２０に収納される。
【００１５】
以上説明したように、本発明の実施の形態に係る水門用開閉装置１によれば、一端を扉体２の上部に接続されるチェーン３を、駆動部１２からの回転駆動力が伝達される駆動スプロケット１４に係合すると共に、その他端を被駆動部１３が設置される架台１７の底面に接続しているので、扉体２をチェーン３を介して上昇させる際、チェーン３が、駆動スプロケット１４の回転により回転移動すると共に、架台１７に設けた案内ローラ１６に沿って案内された後、略Ｕ字状に降下してチェーンカバー２０にコンパクトに収納される。
また、扉体２を上昇させる場合に、チェーン３を略Ｕ字状に降下させることができるので、降下するチェーン３の高さは半分となり収納スペースの高さを低く設定することができると共に、扉体２の揚程を高く設定することができる。
【図面の簡単な説明】
【００１６】
【図１】図１は、本発明の実施の形態に係る水門用開閉装置の正面図である。
【図２】図２は、本発明の実施の形態に係る水門用開閉装置の側面図である。
【符号の説明】
【００１７】
１          水門用開閉装置
２          扉体
３          チェーン
５          駆動装置
８          操作台
１２        駆動部
１３        被駆動部
１４        駆動スプロケット
１７        架台
２０        チェーンカバー（収納部）
【図１】
2005171558.tif 000003
【図２】
2005171558.tif 000004